(57)【要約】【課題】  複製禁止の機密文書を印刷する際、機械可読可能画像を有して背景に描画する重畳画像の描画面積を操作ユーザの文書に対する機密レベルに応じて変更する。【解決手段】  機密文書２１２の印刷処理に対するユーザの機密レベルをユーザ別文書処理権限管理情報９２２に登録し、機密文書２１２に対する印刷処理の可否、処理条件を機密文書管理情報９２１にて特定し、印刷後の複製処理が禁止された機密文書２１２の印刷処理では複写禁止の情報を埋め込んだコード画像５１０を、ユーザの印刷処理に対する機密レベルに基づいて決定した描画面積、描画パターンを重畳画像描画領域決定テーブル９２３に特定し、印刷する文書の画像に重畳して合成したコード画像埋め込み文書５００を複合機４００にて印刷する。【選択図】  図１
2008187241.tif 000002
【特許請求の範囲】
【請求項１】
電子文書の利用者の認証を行う認証手段と、
前記認証手段で認証した利用者の認証情報に応じた前記電子文書の機密レベル情報を取得する取得手段と、
前記取得手段で取得した機密レベル情報の示す機密レベルに応じて前記電子文書の画像に重畳する重畳画像の面積を決定する決定手段と、
前記決定手段で決定した面積の重畳画像を生成する生成手段と、
前記生成手段で生成した重畳画像を前記電子文書の画像に合成する合成手段と、
前記合成手段で合成した合成画像を出力する出力手段と
を具備する画像処理装置。
【請求項２】
前記重畳画像は、
前記電子文書の利用にかかわる情報を符号化した機械読取可能画像である請求項１記載の画像処理装置。
【請求項３】
前記電子文書の利用にかかわる情報は、
前記電子文書を特定する情報、前記機密レベル情報のうちの少なくとも１つを含む請求項２記載の画像処理装置。
【請求項４】
前記生成手段は、
前記決定手段で決定した面積で前記合成画像の四隅部に位置する合成画像を生成する請求項１乃至３のいずれかに記載の画像処理装置。
【請求項５】
前記生成手段は、
前記決定手段で決定した面積で前記合成画像の上下の両端部に位置する合成画像を生成する請求項１乃至３のいずれかに記載の画像処理装置。
【請求項６】
前記生成手段は、
前記決定手段で決定した面積で前記合成画像の周囲部に位置する合成画像を生成する請求項１乃至３のいずれかに記載の画像処理装置。
【請求項７】
前記生成手段は、
前記決定手段で決定した面積で前記合成画像の内部の所定位置に位置する合成画像を生成する請求項１乃至３のいずれかに記載の画像処理装置。
【請求項８】
前記重畳画像は、
該重畳画像が合成された合成位置を示す位置情報を含み、
前記出力出力手段で出力された紙文書の読み取りに際して前記重畳画像を削除する場合は、前記位置情報に基づき前記重畳画像を削除する請求項１乃至７のいずれかに記載の画像処理装置。
【請求項９】
前記重畳画像は、
該重畳画像が合成された合成位置を示す位置情報を含み、
前記出力手段で出力された紙文書の読み取りに際して前記重畳画像を新たな重畳画像に書き換える場合は、前記位置情報に基づき前記新たな重畳画像の書き換えを行う請求項１乃至８のいずれかに記載の画像処理装置。
【請求項１０】
コンピュータを、
電子文書の利用者の認証を行う認証手段、
前記認証手段で認証した利用者の認証情報に応じた前記電子文書の機密レベル情報を取得する取得手段、
前記取得手段で取得した機密レベル情報の示す機密レベルに応じて前記電子文書の画像に重畳する重畳画像の面積を決定する決定手段、
前記決定手段で決定した面積の重畳画像を生成する生成手段、
前記生成手段で生成した重畳画像を前記電子文書の画像に合成する合成手段
として機能させる画像処理プログラム。
【発明の詳細な説明】
【技術分野】
【０００１】
本発明は、画像処理装置および画像処理プログラムに関する。
【背景技術】
【０００２】
電子文書の印刷時に印刷操作を行うユーザの権限レベルと文書の機密レベルにより、印刷の許可不許可を判断し、印刷する場合は、機密文書に関する情報を示す情報をヘッダ、フッダとして印刷し、さらには、複製処理を行う装置にて機械可読可能な複製禁止コードを含む重畳画像の合成印刷による情報の埋め込みを行う特許文献１に記載された「画像処理装置および画像形成装置」が考案されている。
【０００３】
この特許文献１の発明は、画像形成効率を損なうことなく、不正複写が禁止されている特定文書の不正複写を確実に防止することを課題とし、機械可読コードとして所定のドットパターンの画像を所定サイズの二次元配列にて複製を禁止する情報、印刷する文書に対する文書の識別情報を印刷する場合の複製禁止の情報を埋め込んだ画像を複数の所定ブロックサイズにて繰り返して埋め込んだ機械可読コードを印刷文書の画像に埋め込んだ印刷文書を生成するために、印刷する文書データに複写防止画像データを付加する画像処理装置と、複防止画像が付加された特定文書に対する不正な複写を機械可読コードの検出にて防止する。
【０００４】
また、電子文書の印刷時に、セキュリティポリシーに応じて印刷動作を制御する別の技術として特許文献２に記載された「ドキュメント印刷装置」が考案されている。
【０００５】
この特許文書２の発明は、文書印刷のセキュリティ設定に関して、各機器に対するセキュリティに関する設定を行う手間がかかる問題と、システム全体のセキュリティ情報が把握できずに、文書のセキュリティの状況を把握することができない問題とを解決することを目的とし、ドキュメントファイルの印刷を行うユーザの属性と、ドキュメントファイルの属性とに基づいて、印刷処理の拒否あるいは印刷する場合の印刷要件をポリシーサーバから取得することによって印刷装置におけるドキュメントの印刷処理を制御する印刷制御手段とを有して構成される。
【０００６】
また、セキュリティポリシーに応じた文書の印刷動作を制御する別の技術として、特許文献３に記載された「画像形成装置およびドキュメント属性管理サーバ」が考案されている。
【０００７】
この特許文献３の発明は、情報システムにおいて、ドキュメント属性を取得することによって、セキュリティポリシーに基づいた処理制御を行う画像形成装置を提供することを課題とし、セキュリティポリシーに従って、ドキュメントの識別情報を読み取る識別情報読み取り手段と、識別情報読み取り手段にて読み取ったドキュメントの識別情報に基づいて、動作用件選択手段によって選択された１つ以上の動作用件に従って、所定動作の実行を制御する動作手段を有する。
【特許文献１】特開２００２−３０５６４６号公報。
【特許文献２】特開２００４−１５２２６３号公報。
【特許文献３】特開２００４−１９２６１０号公報。
【発明の開示】
【発明が解決しようとする課題】
【０００８】
ところで、機密文書に対して、複製処理を行う装置にて機械可読可能な複製禁止コードを含む重畳画像の合成印刷による情報の埋め込みを行う場合、複数段階の機密レベルに応じて複製禁止コードの描画面積を決定することは従来行われていなかった。
【０００９】
本発明は、複写、スキャンによる複製が文書の印刷後に禁止されている機密文書を印刷する際、複製処理を行う装置にて機械可読可能な複製禁止を示すコード画像を重畳画像として用紙に描画し、さらに、機密文書に設定した複数段階の機密レベルに応じてコード画像を含む重畳画像の描画面積を決定して機密文書を印刷することができる画像処理装置および画像処理プログラムを提供することを目的とする。
【課題を解決するための手段】
【００１０】
上記課題を解決するために、請求項１の発明の画像処理装置は、電子文書の利用者の認証を行う認証手段と、前記認証手段で認証した利用者の認証情報に応じた前記電子文書の機密レベル情報を取得する取得手段と、前記取得手段で取得した機密レベル情報の示す機密レベルに応じて前記電子文書の画像に重畳する重畳画像の面積を決定する決定手段と、前記決定手段で決定した面積の重畳画像を生成する生成手段と、前記生成手段で生成した重畳画像を前記電子文書の画像に合成する合成手段と、前記合成手段で合成した合成画像を出力する出力手段とを具備する。
【００１１】
また、請求項２の発明は、請求項１の発明の画像処理装置において、前記重畳画像は、前記電子文書の利用にかかわる情報を符号化した機械読取可能画像である。
【００１２】
また、請求項３の発明は、請求項２の発明の画像処理装置において、前記電子文書の利用にかかわる情報は、前記電子文書を特定する情報、前記機密レベル情報のうちの少なくとも１つを含む。
【００１３】
また、請求項４の発明は、請求項１及至３のいずれかの発明の画像処理装置において、前記生成手段は、前記決定手段で決定した面積で前記合成画像の四隅部に位置する合成画像を生成する。
【００１４】
また、請求項５の発明は、請求項１乃至３のいずれかの発明の画像処理装置において、前記生成手段は、前記決定手段で決定した面積で前記合成画像の上下の両端部に位置する合成画像を生成する。
【００１５】
また、請求項６の発明は、請求項１乃至３のいずれかの発明の画像処理装置において、前記生成手段は、前記決定手段で決定した面積で前記合成画像の周囲部に位置する合成画像を生成する。
【００１６】
また、請求項７の発明は、請求項１乃至３のいずれかの発明の画像処理装置において、前記生成手段は、前記決定手段で決定した面積で前記合成画像の内部の所定位置に位置する合成画像を生成する。
【００１７】
また、請求項８の発明は、請求項１乃至７のいずれかの発明の画像処理装置において、前記重畳画像は、該重畳画像が合成された合成位置の示す位置情報を含み、前記出力手段で出力された紙文書の読み取りに際して前記重畳画像を削除する場合は、前記位置情報に基づき前記重畳画像を削除する。
【００１８】
また、請求項９の発明は、請求項１乃至８のいずれかの発明の画像処理装置において、前記重畳画像は、該重畳画像が合成された合成位置を示す位置情報を含み、前記出力手段で出力された紙文書の読み取りに際して前記重畳画像を新たな重畳画像に書き換える場合は、前記位置情報に基づき前記新たな重畳画像の書き換えを行う。
【００１９】
また、請求項１０の発明の画像処理プログラムは、コンピュータを、電子文書の利用者の認証を行う認証手段、前記認証手段で認証した利用者の認証情報に応じた前記電子文書の機密レベル情報を取得する取得手段、前記取得手段で取得した機密レベル情報の示す機密レベルに応じて前記電子文書の画像に重畳する重畳画像の面積を決定する決定手段、前記決定手段で決定した面積の重畳画像を生成する生成手段、前記生成手段で生成した重畳画像を前記電子文書の画像に合成する合成手段として機能させる。
【発明の効果】
【００２０】
請求項１の発明の画像処理装置によれば、重畳画像の描画面積を機密レベルに応じて調節することができる。
【００２１】
また、請求項２の発明によれば、機密レベルに応じて機械可読可能画像の描画量を調整することができる。
【００２２】
また、請求項３の発明によれば、機密レベルに応じて、電子文書、電子文書出力日時、出力装置を特定するための機械可読可能画像の描画量を調整することができる。
【００２３】
また、請求項４〜７の発明によれば、電子文書が有するコンテンツの描画領域以外の空き領域を効果的に使用した重畳画像の描画が可能である。
【００２４】
また、請求項８の発明によれば、重畳画像が合成して付加された電子文書、スキャン画像、複写処理における読み取り画像の再利用が可能である。
【００２５】
また、請求項９の発明によれば、複製処理によって派生した文書であることを機械可読可能画像にて特定することができる。
【００２６】
また、請求項１０の発明によれば、同一の電子文書に対する利用者の機密レベルに応じた文書を個別に生成することができる。
【発明を実施するための最良の形態】
【００２７】
本発明の実施例について、添付図面を参照しながら説明する。
【００２８】
以下、文書とは電子文書であり、複数ファイルにて構成される構造化文書である。
【００２９】
図１は、本発明の画像処理装置を配した文書処理システムの構成の一例を示す図である。
【００３０】
文書処理システム１０は、ポリシーサーバ９００、クライアント端末１００、複合機４００、文書管理サーバ２００、認証サーバ３００、ログ管理サーバ８００とがネットワーク７を介して接続した構成を有する。
【００３１】
ポリシーサーバ９００は、文書データベース２１０（以下、「文書ＤＢ」と称する）にて管理される文書２１１に対する処理において、認証サーバ３００のユーザ管理情報３１０にて管理されるユーザの機密文書２１２を処理する際の機密レベルを、ユーザ別文書処理権限管理情報９２２に登録して管理する。
【００３２】
また、ポリシーサーバ９００は、機密文書２１２に対する各種処理（文書の印刷、印刷した文書の複写、スキャン、スキャン画像のメール送信、ファクシミリ（ＦＡＸ）送信）毎の可否、および、処理可能な場合の処理条件を機密文書管理情報９２１に登録して管理する。
【００３３】
特に、機密文書管理情報９２１に設定された印刷条件により、印刷後の複写、スキャンによる複製処理が禁止された機密文書２１２を印刷する場合、印刷した機密文書２１２の複製処理を行った際、印刷した機密文書２１２の読み取り画像データから機械可読可能画像としてのコード画像５１０に所定情報を埋め込んだ重畳画像を文書画像に重畳して印刷したコード画像埋め込み文書５００を複合機４００にて印刷する。
【００３４】
コード画像５１０による情報の埋め込み方式およびコード画像５１０に埋め込まれた情報の復号は、例えば、特開２００３−２８０４６９号公報にて開示された技術を使用して処理される。
【００３５】
コード画像５１０にてコード画像埋め込み文書５００に埋め込まれる情報としては、例えば、図３に示すように、コード画像５１０を有した重畳画像の描画領域を示す「重畳画像描画位置」、コード画像埋め込み文書５００を印刷時の「処理日時」、コード画像埋め込み文書５００に描画された機密文書２１２の文書ＩＤを示す「処理対象文書ＩＤ」、コード画像埋め込み文書５００を個別に識別するための「出力文書ＩＤ」、コード画像埋め込み文書５００の出力操作を行ったユーザを示す「ユーザＩＤ」、出力した後の文書に対する複製が禁止されている機密文書２１２であるか否かを示す「複製禁止コード」、コード画像埋め込み文書５００が生成された時の処理の種別を示す「処理種別」、コード画像埋め込み文書５００の出力操作を行った装置を示す「処理装置」、コード画像埋め込み文書５００が出力される装置の識別情報を示す「出力先装置」があり、処理条件に応じて適宜記録される。
【００３６】
コード画像埋め込み文書５００を印刷する場合、ユーザの文書に対する機密レベルに応じて、用紙に対する重畳画像の描画面積、重畳画像の用紙に対する描画パターンを重畳画像描画領域決定テーブル９２３に基づいて決定する。  
コード画像５１０は、所定の値を示すドットパターンの画像（以後、パターン画像５１１と称する）を所定サイズのブロック領域に所定規則にて配置することによって、情報をコード化して表現した画像である。
【００３７】
コード画像埋め込み文書５００に印刷される重畳画像の描画パターンの例としては、図２に示すように、用紙全体にコード画像５１０を埋め込んだパターンＡ、用紙の周辺を含む領域にコード画像５１０を描画したパターンＢ、用紙の上下両端を含む領域にコード画像５１０を含む重畳画像を描画したパターンＣ、用紙の内部の特定の矩形領域にコード画像５１０を含む重畳画像を描画したパターンＤ、用紙の四隅にコード画像５１０を含む重畳画像を描画したパターンＥ等がある。
【００３８】
文書に対する機密レベルの異なるユーザＡとユーザＢが特定の機密文書２１２に対してそれぞれ印刷処理を行った場合、例えば、図１に示すように、ユーザＡが複写禁止が設定された機密文書２１２の文書Ａを印刷した場合、図２に示したパターンＡによる重畳画像が文書画像に合成して印刷され（図１の５００a）、ユーザＡよりも文書に対する機密レベルが低いユーザＢが文書Ａの印刷を行った場合は、パターンＡの重畳画像の描画面積よりも小さくなる図２に示したパターンＥにて重畳画像が文書画像に合成して印刷される（図１の５００ｂ）。
【００３９】
重畳画像が描画されたコード画像埋め込み文書５００に対する複写処理が複合機４００にて行われると、複合機４００は、コード画像埋め込み文書５００の読み取り画像データから複写禁止を示すパターン画像５１０のマッチン処理を行ってコード画像の検出処理を行い、この際、複写禁止を示すコード画像のみが検出された場合は、ポリシーサーバ９００に処理の可否を問い合わせることなく複写処理を禁止するが、更に文書ＩＤを含む所定情報を示すコード画像を検出した場合、所定情報から読み取ったユーザＩＤ、文書ＩＤと、処理種別をポリシーサーバ９００に送信して、処理の実施可否を確認し、実施可能である場合は、処理を実施する。
【００４０】
なお、コード画像５１０が読み取り画像データから検出されない場合、あるいは、コード画像が検出されても、文書を特定する文書ＩＤの情報が検出されない場合、各種処理を実施可能としてよい。
【００４１】
コード画像埋め込み文書５００に対するスキャン処理においては、機密文書管理情報９２１に設定された処理条件により、コード画像埋め込み文書５００の読み取り画像データを例えば文書ＤＢ２１０の所定の転送先に格納するといった従来のスキャン画像の登録処理に加えて、コード画像埋め込み文書５００の読み取り画像データから重畳画像を削除した文書画像の再利用による文書の登録処理（図１の５００e）、スキャン操作を行ったユーザの文書処理に対する機密レベルに応じた重畳画像の付け替え処理（図１の５００ｄ）を行う。
【００４２】
また、文書処理システム１０において、文書の印刷、複写、スキャン画像の登録を行った際、処理対象となる元文書の文書ＩＤ、印刷した場合は、印刷出力する文書の印刷データ、複写した場合に用紙に印刷する複写画像、スキャンした画像の再利用にて文書ＤＢ２１０に新たに登録した文書の文書ＩＤを含む文書に対する処理内容を示すログ情報をログ管理サーバ８００のログデータベース（ログＤＢ）８１０に記録する。
【００４３】
次に、図１に示した文書処理システム１０の各装置の構成例を図４にそれぞれ示して説明する。
【００４４】
クライアント端末１００は、プログラムをＣＰＵ（Ｃｅｎｔｒａｌ Ｐｒｏｃｅｓｓｉｎｇ Ｕｎｉｔ）が実行することによりクライアント端末１００全体を制御するクライアント端末制御部１１０に、ＲＡＭ（Ｒａｎｄｏｍ Ａｃｃｅｓｓ Ｍｅｍｏｒｙ）や、ＲＯＭ（Ｒｅａｄ Ｏｎｌｙ Ｍｅｍｏｒｙ）等のメモリ素子、並びにハードディスク等によって実現され、ＣＰＵ（Ｃｅｎｔｒａｌ Ｐｒｏｃｅｓｓｉｎｇ Ｕｎｉｔ）によって実行されるプログラムが保持され、各プログラム処理の過程で利用される種々のデータを保持するワークメモリとして動作するクライアント端末記憶部１２０、ＬＡＮ（Ｌｏｃａｌ  Ａｒｅａ  Ｎｅｔｗｏｒｋ）接続ボード等の回線終端装置を有するクライアント端末通信部１５０、入力操作部１３０、表示部１４０がそれぞれ接続して構成される。
【００４５】
クライアント端末制御部１１０は、ユーザ認証処理部１１１、文書処理部１１２、印刷制御部１１３を有し、印刷制御部１１３は、重畳画像生成部１１４を有する。
【００４６】
ユーザ認証処理部１１１は、文書ＤＢ２１０に登録した文書２１１に対するユーザの各種操作を入力操作部１３０にて検知すると、文書に対する操作を行うユーザの認証処理を、ネットワーク７を介して接続される認証サーバ３００とのデータ通信にて行う。
【００４７】
文書処理部１１２は、ユーザによる文書の表示、編集、登録、印刷処理を行うためのアプリケーションプログラムを実行し、文書に対する各種処理を行うための操作画面を表示部１４０に表示するとともに、表示した文書操作画面に対する入力操作部１３０によるユーザ操作の検出に基づいて、クライアント端末通信部１５０、および、ネットワーク７を介して接続された文書管理サーバ２００の文書ＤＢ２１０に登録された文書２２１のデータを文書データ１２４として取得する。
【００４８】
さらに、文書ＤＢ２１０から取得した文書データ１２４あるいは、ユーザが新規に作成した文書データ１２４の印刷指示操作を検知した場合は、ユーザ認証処理部１１１による操作ユーザの認証処理を行い、認証されたユーザＩＤ、印刷する文書の文書ＩＤ、処理種別（ここでは、印刷）を、クライアント端末通信部１５０を介してポリシーサーバ９００に送信し、印刷処理の実施可否、実施可能な場合の処理条件を問い合わせ、問合せの結果、印刷が許可された場合は、印刷制御部１１３に対して文書印刷処理を要求する。
【００４９】
印刷制御部１１３は、文書処理部１１２からの要求に基づいて、複合機４００をはじめとするネットワーク７を介して使用可能な印刷装置に対する印刷設定を行う印刷操作画面を表示部１４０に出力し、ユーザにて指定された文書２１１に対する印刷設定および、印刷する文書２１１の文書データを文書処理部１１２から受け取って印刷データ１２５を作成し、作成した印刷データ１２５をクライアント端末通信部１５０を介して複合機４００に送信する。
【００５０】
また、印刷制御部１１３において、機密文書２１２の印刷処理が許可された場合、重畳画像生成部１１４は、ポリシーサーバ９００から取得した重畳画像描画情報１２２に基づいて、印刷ページに描画する文書画像に重畳画像を合成して印刷するための印刷データ１２５を作成する。
【００５１】
ポリシーサーバ９００は、プログラムをＣＰＵ（Ｃｅｎｔｒａｌ Ｐｒｏｃｅｓｓｉｎｇ Ｕｎｉｔ）が実行することによりポリシーサーバ９００全体を制御するポリシーサーバ制御部９１０に、ＲＡＭ（Ｒａｎｄｏｍ Ａｃｃｅｓｓ Ｍｅｍｏｒｙ）や、ＲＯＭ（Ｒｅａｄ Ｏｎｌｙ Ｍｅｍｏｒｙ）等のメモリ素子、並びにハードディスク等によって実現され、セキュリティポリシー（処理条件）に関する情報、文書のセキュリティレベルに関する情報を記憶したポリシーサーバ記憶部９２０と、ＬＡＮ（Ｌｏｃａｌ  Ａｒｅａ  Ｎｅｔｗｏｒｋ）接続ボード等の回線終端装置にて実現され、ネットワーク７を介して接続されたクライアント端末１００、複合機４００、文書管理サーバ２００との間にてデータ通信制御を行うポリシーサーバ通信部９３０とがバスを介して接続した構成を有する。
【００５２】
ポリシーサーバ記憶部９２０は、機密文書管理情報９２１、ユーザ別文書処理権限管理情報９２２、重畳画像描画領域決定テーブル９２３を記憶する。
【００５３】
機密文書管理情報９２１は、図５の９２１に示すように、文書管理サーバ２００の文書ＤＢ２１０に登録して管理される文書２１１のうち、機密文書２１２として文書に対する各種処理（文書の印刷、印刷した文書のコピー、印刷した文書のスキャン、スキャン画像のメール送信を行うスキャンＴＯメール、ＦＡＸ処理）それぞれに対する処理の可否、および、処理条件を設定して管理するための表データであり、ポリシー管理部９１１にて登録データの管理が行われる。
【００５４】
図４に示した機密文書管理情報９２１において、例えば、文書Ａに対しては、印刷処理が禁止されている機密文書２１２であり、また、文書Ｂに対しては、印刷処理が許可されているものの、印刷する際、コード画像５２０を有した重畳画像の描画が処理条件として設定されており、文書Ｂを印刷したコード画像埋め込み文書５００のスキャン処理に対しては、スキャン操作を行うユーザの文書に対する機密レベルに応じた重畳画像の付け替えを指示する処理条件が設定され、コピー、スキャン画像のメール機能、ＦＡＸ送信は禁止されている。
【００５５】
そのため、文書Ｂを、コード画像埋め込み文書５００として印刷する場合は、コード画像５１０に複製禁止を示す情報の埋め込みが必要である文書であることを示す。
【００５６】
また、文書Ｃに対しては、スキャン画像のメール送信機能以外の操作が許可された文書であることを示す。
【００５７】
ユーザ別文書処理権限管理情報９２２は、図５の９２２に示すように、認証サーバ３００のユーザ管理情報３１０に登録して管理されているユーザのユーザＩＤ毎に、機密文書２１２に対する処理を行う際の所定の複数段階の機密レベルを設定して記憶した表形式のデータであり、ポリシー管理部９１１にて登録データの管理が行われる。
【００５８】
重畳画像描画領域決定テーブル９２３は、図５の９２３に示すように、機密文書管理情報９２１に登録した機密文書２１２のうち、印刷処理が許可された文書であって、なおかつ、重畳画像を合成したコード画像埋め込み文書５００としての印刷が処理条件として指定されている各機密文書２１２に対して、ユーザ別文書処理権限管理情報９２２にて特定される印刷操作を行うユーザの機密レベルに応じた重畳画像の描画パターンおよび描画する重畳画像の描画面積と描画位置を特定するための情報、および、所定情報１２１としてコード画像５１０に埋め込むの項目を示す情報を設定して記録したデータであり、重畳画像描画管理部９１３にて登録データの管理が行われる。
【００５９】
重畳画像描画領域決定テーブル９２３において、例えば、ユーザＢが文書Ｂを印刷しようとした場合、ユーザＢの文書処理に対する機密レベルが「レベル２」であり、文書Ｂは、機密文書管理情報９２１にて重畳画像を合成したコード画像埋め込み文書５００としての印刷が指定されている。そのため、文書Ｂを機密レベル２で印刷する際の用紙に対する重畳画像の描画パターンは、「パターンＢ」となり、さらに、パターンＢの重畳画像の描画面積は、用紙全体に対し２０パーセントとなるように重畳画像を描画する設定が行われていることを示す。
【００６０】
再度、図４のブロック図に戻り、ポリシーサーバ制御部９１０は、ポリシー管理部９１１、処理実施可否判定部９１２、重畳画像描画管理部９１３をさらに有する。
【００６１】
ポリシー管理部９１１は、文書処理システム１０におけるセキュリティポリシーに従って機密文書２１２に対する各種処理を、ユーザに付与した文書処理に対する機密レベルに応じて制御するための情報として、機密文書管理情報９２１、ユーザ別文書処理権限管理情報９２２をポリシーサーバ記憶部９２０に登録して、登録データのメンテナンス処理を行う。
【００６２】
処理実施可否判定部９１２は、ネットワーク７を介してポリシーサーバ９００に接続される複合機４００、クライアント端末１００からポリシーサーバ通信部９３０を介して文書に対する処理実施可否の問合せデータ受信し、受信した問合せデータからユーザＩＤ、文書ＩＤ、処理種別を読み取って機密文書管理情報９２１、ユーザ別文書処理権限管理情報９２２を参照して処理の実施可否、さらに、処理可能な場合の処理条件を取得し、取得した処理の実施可否、および処理条件を問合せ元の装置（クライアント端末１００、あるいは、複合機４００）に応答する。
【００６３】
さらに、機密文書に対するクライアント端末１００からの印刷処理の問合せ、あるいは、複合機４００からの複製処理に対する問合せに対して、重畳画像の合成印刷、あるいは、付け替えが必要な場合は、重畳画像描画領域決定テーブル９２３の設定内容を読み取って重畳画像を描画するための情報（クライアント端末１００に対しては重畳画像描画情報１２２、複合機４００に対しては重畳画像描画情報４２２）を作成し、作成した重畳画像描画情報を、ポリシーサーバ通信部９３０を介して問い合わせ元となる装置（クライアント端末１００、複合機４００）に送信する。
【００６４】
重畳画像描画管理部９１３は、重畳画像描画領域決定テーブル９２３に対し、機密文書管理情報９２１にて重畳画像の合成印刷が指定された文書の文書ＩＤと、重畳画像の描画パターンと描画面積を示す情報の登録および設定管理を行う。
【００６５】
複合機４００は、プログラムをＣＰＵ（Ｃｅｎｔｒａｌ Ｐｒｏｃｅｓｓｉｎｇ Ｕｎｉｔ）が実行することにより複合機４００全体を制御する複合機主制御部４１０に、画像読取部４３０、操作表示部４４０、画像読取部４５０、画像処理部４６０、画像形成部４７０、ＬＡＮ（Ｌｏｃａｌ  Ａｒｅａ  Ｎｅｔｗｏｒｋ）接続ボード等の回線終端装置にて実現される複合機通信部４３０、ＲＡＭ（Ｒａｎｄｏｍ Ａｃｃｅｓｓ Ｍｅｍｏｒｙ）や、ＲＯＭ（Ｒｅａｄ Ｏｎｌｙ Ｍｅｍｏｒｙ）等のメモリ素子、並びにハードディスク等によって実現され、ＣＰＵ（Ｃｅｎｔｒａｌ Ｐｒｏｃｅｓｓｉｎｇ Ｕｎｉｔ）によって実行されるプログラムが保持され、各プログラム処理の過程で利用される種々のデータを保持するワークメモリとして動作する複合機主記憶部４２０が接続された構成を有する。
【００６６】
複合機主制御部４１０は、処理実施可否判定部４１１、コード画像解析部４１２、印刷処理部４１３、ユーザ認証処理部４１４をさらに有する。
【００６７】
ユーザ認証処理部４１４は、操作表示部４４０にてユーザの複写、スキャン、ＦＡＸ操作を検知すると、文書に対する操作を行うユーザの認証処理を行うための操作画面を操作表示部４４０に表示し、入力されたユーザＩＤ、パスワードに基づいて認証用データを作成し、作成した認証データを複合機通信部４３０を介して認証サーバ３００に送信して、ユーザ認証を行い、認証されたユーザを識別するためのユーザＩＤを取得する。
【００６８】
コード画像解析部４１２は、複合機４００に対するコード画像埋め込み文書５００の複写、スキャン処理を行う際、画像読取部４５０にて読み取った画像データに対して、コード画像の解析処理を行って、コード画像５１０に埋め込まれた所定情報４２１を解読する。
【００６９】
処理実施可否判定部４１１は、ユーザ認証処理部４１４によるユーザ認証処理にて文書に対する操作が許可されたユーザＩＤ、処理種別、さらに、コード画像の検出を伴う文書の複製処理の場合は、所定情報４２１を、複合機通信部４３０を介してポリシーサーバ９００に送信して、処理実施可否、および、処理可能な場合の処理条件を問い合わせる。
【００７０】
印刷処理部４１３は、複合機通信部４３０を介してクライアント端末１００から受信した印刷データ１２５に基づく文書の印刷処理を画像形成部４７０に対して行う。
【００７１】
また、印刷処理部４１３は、複写操作による画像読取部４５０にて読み取った画像に対する重畳画像の合成印刷、あるいは重畳画像の付け替え処理を伴う印刷制御を画像形成部４７０に対して行う場合、新たに合成する重畳画像は、ポリシーサーバ９００から受信した重畳画像描画情報４２２と、文書ＩＤ、処理種別、処理日時、装置種別を記録した所定情報４２１に基づいて生成し、複写する画像に合成した画像の印刷制御を画像形成部４７０に対して行う。
【００７２】
また、複合機主制御部４１０は、機密文書２１２に対する複製処理、ＦＡＸ送信を行った場合は、複製対象となる元文書の識別情報、複製処理によって生成される電子文書あるいは紙文書を特定する出力文書の識別情報、所定情報４２１を含む処理内容を示すログを複合機通信部４３０を介してログ管理サーバ８００のログＤＢ８１０に登録するためのログ登録処理を行う。
【００７３】
画像読取部４５０は、紙文書の画像をユーザ指定した所定の解像度にて読み取り、読み取った紙文書の画像データを複合機主記憶部４２０に保存する。
【００７４】
画像処理部４６０は、画像読取部４５０にて読み取られた画像データに対し、ユーザによる複写、スキャン処理に対して指定された処理条件に基づいて色補正、解像度変換、正立補正等を行うとともに、重畳画像の付け替え処理の際、読取画像データから既存の重畳画像を削除するための画像処理、読取画像データに重畳画像が含まれているかを調べるためのコード画像５１０のマッチング処理を読取画像データに対して行う。
【００７５】
次に、図４のブロック図において、クライアント端末１００の印刷制御部１１３によるポリシーサーバ９００との連携によるコード画像埋め込み文書５００を生成する場合の処理手順を図６のフローチャートに示して説明する。
【００７６】
クライアント端末１００において、印刷制御部１１３は、文書の印刷操作を行ったユーザの認証処理をユーザ認証処理部１１１にて行い認証されたユーザのユーザＩＤを取得し（Ｓ１０１）、印刷する文書の文書ＩＤ、処理種別、ユーザＩＤをクライアント端末通信部１５０を介してポリシーサーバ９００に送信し、ポリシーサーバ９００の処理実施可否判定部９１２は、ポリシーサーバ通信部９３０を介してクライアント端末１００から受信した処理実施可否の問合せデータからユーザＩＤを読み取り、読み取ったユーザＩＤにてユーザ別文書処理権限管理情報９２２を参照して文書処理に対するユーザの機密レベルを取得する（Ｓ１０２）。
【００７７】
処理実施可否判定部９１２は、クライアント端末１００から受信した問合せデータから文書ＩＤ、処理種別を読み取って、機密文書管理情報９２１を参照し、印刷処理が許可された文書であることを確認し、さらに、印刷処理が許可された際の処理条件として重畳画像の合成印刷が指定されているか否か、印刷後の複製が禁止されたの複製禁止であるか否かを読み取る。そして、ステップＳ１０２にて取得したユーザの文書処理に対する機密レベルの値と文書ＩＤとにより、重畳画像描画領域決定テーブル９２３を参照し、重畳画像の描画パターンを特定し、特定した重畳パターンによる重畳画像の描画面積を取得し、取得した重畳パターン、描画面積、描画位置、印刷が許可されたことを通知する情報、複製禁止の有無を示す情報を、重畳画像描画情報１２２として記録した処理実施可否の応答データを作成し、作成した処理実施可否の応答データをポリシーサーバ通信部９３０を介してクライアント端末１００の印刷制御部１１３宛てに送信する（Ｓ１０３）。
【００７８】
クライアント端末１００の印刷制御部１１３は、クライアント端末通信部１５０を介してポリシーサーバ９００から受信した処理実施可否の応答データに記録された重畳画像描画情報１２２を読み取り、コード画像５１０に埋め込むための文書ＩＤ、処理日時、複製禁止コード、ユーザＩＤを所定情報１２１として作成し（Ｓ１０４）、ステップＳ１０４の処理にて作成した所定情報１２１に記録された各情報を所定のコードに変換して埋め込んだコード画像５１０を生成し、ステップＳ１０４にて応答データから読み取った重畳画像描画情報１２２に記録されている描画パターン、描画面積の情報に基づいて生成したコード画像５１０を所定規則にて配置した重畳画像を生成する（Ｓ１０５）。
【００７９】
さらに、印刷制御部１１３は、文書処理部１１２から受け取った文書データ１２４と、ユーザによる印刷設定に基づいて各印刷ページに描画する文書画像を生成し、生成した文書画像と、ステップＳ１０５の処理にて生成した重畳画像を背景として合成した印刷ページの出力画像を作成し、複合機４００の印刷処理部４１３にて解釈可能な描画命令を用いて、作成した印刷ページの出力画像を用紙に形成するための印刷データ１２５を作成し、作成した印刷データ１２５を、クライアント端末通信部１５０を介して複合機４００の印刷処理部４１３宛てに送信する（Ｓ１０６）。
【００８０】
なお、上記処理手順にて示した重畳画像の生成、および、印刷データ１２５から展開される各印刷ページの出力画像に対する重畳画像の合成印刷処理は、複合機４００の印刷処理部４１３にて実施してもよい。その際、クライアント端末１００側の印刷制御部１１３においては、複合機４００に送信する印刷データ１２５に所定情報１２１、重畳画像描画情報１２２を埋め込む構成を追加し、一方の複合機４００の印刷処理部４１３は、受信した印刷データ１２５に埋め込まれた重畳画像描画情報１２２を重畳画像描画情報４２２として、所定情報１２１を所定情報４２１としてそれぞれ読み取って複合機主記憶部４２０に展開し、展開した重畳画像描画情報４２２、所定情報４２１に基づいて重畳画像を生成して、印刷ページの出力画像に合成する手段を追加した構成にて印刷制御を行う。
【００８１】
次に、図１に示した文書処理システムにおける文書の印刷処理を図７のシーケンス図に示して説明する。
【００８２】
クライアント端末１００において、クライアント端末制御部１１０は、文書処理部１１２にて表示部１４０に表示した文書処理画面における文書２１１の印刷指示操作を入力操作部１３０にて検知すると、ユーザ認証処理部１１１にて印刷指示操作を行ったユーザの認証処理を行うための操作画面を表示部１４０に出力し、ユーザによる入力操作部１３０からユーザＩＤ、パスワードの入力操作を検出すると、検出した入力操作の解析にて入力されたユーザＩＤ、パスワードを読み取り、ユーザ認証処理部１１１は、ユーザＩＤ、パスワードに基づいて認証用データを作成し、作成した認証用データをクライアント端末通信部１５０を介して認証サーバ３００に送信する。認証サーバ３００は、クライアント端末１００から受信したユーザＩＤ、パスワードを含む認証用データと、ユーザ管理情報３１０に登録して管理されたユーザＩＤの登録情報に基づいて認証処理を行う（Ｓ２０１）。
【００８３】
クライアント端末１００において、ユーザ認証処理部１１１による認証サーバ３００との間における認証処理が完了すると、次に、文書処理部１１２は、印刷する文書の文書ＩＤ、文書データを文書管理サーバ２００の文書ＤＢ２１０から読み取る、あるいは、すでに文書ＤＢ２１０から読み取り済みでクライアント端末記憶部１２０に展開している場合は、クライアント端末記憶部１２０から印刷する文書２１１の文書ＩＤを読み取る（Ｓ２０２）。
【００８４】
次に、文書処理部１１２は、ユーザ認証処理部１１１にて認証されたユーザＩＤと、ステップＳ２０２の処理にて読み取った文書ＩＤを取得し、印刷処理を示す処理種別とともに、クライアント端末通信部１５０を介してポリシーサーバ９００に送信し、印刷処理の実施可否、実施可能な場合の印刷条件を問い合わせ、ポリシーサーバ９００は、クライアント端末１００から受信した文書ＩＤ、処理種別にて機密文書管理情報９２１を参照し、印刷処理が可能であるかを判断し、印刷可能である場合は、さらに、印刷後の文書の複写、スキャンの可否、重畳画像の合成印刷処理が必要であるか否かを判別する。重畳画像の合成印刷処理が必要な場合は、ユーザＩＤにてユーザ別文書処理権限管理情報９２２を参照して取得したユーザの文書処理に対する機密レベルとクライアント端末１００から通知された印刷処理を行う文書の文書ＩＤとにより重畳画像描画領域決定テーブル９２３を参照し、重畳画像の描画パターンおよび描画面積を取得する。ポリシーサーバ９００の処理実施可否判定部９１２は、印刷処理の実施可否の判定結果（処理可能な場合、重畳画像の描画情報、複写禁止情報を含む）を、ポリシーサーバ通信部９３０を介してクライアント端末１００の文書処理部１１１宛てに送信する（Ｓ２０３）。
【００８５】
クライアント端末１００において、文書処理部１１２は、ポリシーサーバ９００から受信した応答データを解析して印刷処理の可否を判断し（Ｓ２０４）、処理が許可されなかった場合（Ｓ２０４ＮＯ）、印刷処理がセキュリティポリシーにて禁止された文書であることをユーザに報知するメッセージを表示部１４０の印刷操作画面に出力して印刷処理を終了する（Ｓ２０５）。
【００８６】
一方、ポリシーサーバ９００にて印刷処理が許可された場合（Ｓ２０４ＹＥＳ）、クライアント端末１００の文書処理部１１２は、ステップＳ２０２の処理にて取得した印刷する文書２１１の文書データを取得し、取得した文書データの文書画像に、例えば、スキャン画像の再利用による登録文書で重畳画像が削除されずに埋め込まれた文書画像であるか否かを、文書画像に対するコード画像５１０に埋め込まれる可能性のあるパターン画像５１１の検出によるマッチング処理を行って判断する（Ｓ２０６）。
【００８７】
印刷する文書２１１の画像に重畳画像が埋め込まれていない場合（Ｓ２０６ＮＯ）、文書処理部１１２は、処理実施可否の応答データに重畳画像描画情報１２２、複製禁止コードが含まれているかを調査し、重畳画像の合成印刷を伴うコード画像埋め込み文書５００の印刷処理であるか否かを判断する（Ｓ２１０）。
【００８８】
処理実施可否の応答データから重畳画像描画情報１２２が読み取れた場合（Ｓ２１０ＹＥＳ）、文書処理部１１２は、文書データ、文書ＩＤ、ユーザＩＤ、重畳画像描画情報１２２、さらに、複製禁止である場合は、複製禁止を示す情報を印刷制御部１１３に通知して、コード画像埋め込み文書５００の印刷処理を指示し、印刷制御部１１３の重畳画像生成部１１４は、複製禁止コード、文書ＩＤ、ユーザＩＤを含む所定情報１２１を作成し、作成した所定情報１２１と、重畳画像描画情報１２２とに基づいてコード画像５１０を有した重畳画像を生成し、文書データと印刷設定に基づいて印刷ページに出力する文書画像に生成した重畳画像を合成した画像を出力画像として作成する（Ｓ２１１）。
【００８９】
一方  、重畳画像を合成しない通常の文書印刷の場合、文書データ１２４と印刷設定に基づいて印刷データ１２５を作成する（Ｓ１１２）。
【００９０】
再度、ステップＳ２０６の判定処理に戻り、印刷する文書の画像に既存の重畳画像が埋め込まれている場合（Ｓ２０６ＹＥＳ）、文書処理部１１２は、ポリシーサーバ９００からの応答データに、重畳画像の付け替えを指示する情報が埋め込まれているか否かを判断する（Ｓ２０７）。
【００９１】
重畳画像の付け替えが指示されている場合（Ｓ２０７ＹＥＳ）、印刷制御部１１３は、印刷する文書データの各ページの画像に対し、コード画像５１０の解析を行う画像解析処理を行って、コード画像５１０に埋め込まれた重畳画像の描画領域を特定するための位置情報を読み取り、読み取った重畳画像の位置情報に基づいて、既存の重畳画像を文書のページ画像から削除し、印刷設定に基づいて印刷ページに描画する文書画像を生成し（Ｓ２０８）、重畳画像描画情報１２２に基づいて、新たに合成する重畳画像を生成し、既存の重畳画像を削除した文書画像に合成して印刷ページの出力画像を生成し（Ｓ２０９）、生成した印刷ページの出力画像を用紙に印刷するための印刷データ１２５を作成する（Ｓ２１２）。
【００９２】
印刷制御部１１３は、ステップＳ２１２の処理によって作成した印刷データ１２５をクライアント端末通信部１５０を介して複合機４００の印刷処理部４１３宛てに送信し、複合機４００において、印刷処理部４１３は、複合機通信部４３０を介して受信した印刷データ１２５に基づいて各印刷ページ画像の描画命令を画像形成部４７０に指示して印刷ページの出力画像を用紙に形成した紙文書を生成する（Ｓ２１３）。
【００９３】
複合機４００によるコード画像埋め込み文書５００あるいは紙文書の印刷処理の完了通知をクライアント端末通信部１５０を介して受信した印刷制御部１１３は、印刷した文書の印刷データ、文書ＩＤ、印刷操作を行ったユーザＩＤ、処理日時、出力先装置の識別情報、自装置の識別情報を含むログ情報を作成し、作成したログ情報の登録を要求する登録用データをクライアント端末通信部１５０を介してログ管理サーバ８００に送信し、ログ管理サーバ８００は、受信したログ情報をログＤＢ８１０に登録する（Ｓ２１４）。
【００９４】
次に、図１に示した文書処理システム１０における文書の複製処理を図８のシーケンス図に示して説明する。
【００９５】
複合機４００において、複合機主制御部４１０は、文書の複写、スキャン処理開始操作を、操作表示部４４０にて検知すると、ユーザ認証処理部４１４は、複製操作を行うユーザに対する認証処理を行う操作画面を操作表示部４４０の表示部に出力し、入力されたユーザＩＤ、パスワードに基づいて認証用データを作成し、作成した認証用データを複合機通信部４３０を介して認証サーバ３００に送信して、複製操作を行うユーザの認証処理を行う（Ｓ３０１）。
【００９６】
ユーザ認証処理部４１４による認証処理が完了すると、複合機主制御部４１０は、複製処理を行う紙文書の画像を画像読取部４５０にて読み取り、紙文書の読み取り画像データを複合機主記憶部４２０のワーク領域に転送して保存する（Ｓ３０２）。
【００９７】
次に、複合機主記憶部４２０に保存した読み取り画像データに対するコード画像の検出処理を、コード画像解析部４１２にて行う（Ｓ３０３）。
【００９８】
重畳画像に埋め込まれたコード画像５１０が検出されると（Ｓ３０３ＹＥＳ）、次に、コード画像５１０の解析処理を行って、複製禁止を示すコード画像の有無を判断する（Ｓ３０４）。
【００９９】
複製禁止コードが検知された場合（Ｓ３０４ＹＥＳ）、あるいは、複製禁止コードが検出されず、それ以外の文書を特定するための文書ＩＤを示すコード画像５１０も検出されなかった場合（Ｓ３０５ＮＯ）、複合機主制御部４１０は、紙文書に対する複製処理を中止する（Ｓ３０８）。なお、図示しないが、複製禁止コードが検出され、更に文書を特定する文書ＩＤを示すコード画像５１０も検出された場合は、複製処理を中止せず、以下のＳ３０６の処理を行うこととする。
【０１００】
ステップＳ３０５の判定処理にて、コード画像解析部４１２によるコード画像５１０の解析処理により、所定情報として紙文書に印刷された文書を特定するための文書ＩＤが解読できた場合（Ｓ３０５ＹＥＳ）、処理実施可否判定部４１１は、ステップＳ３０１の処理にて認証されたユーザのユーザＩＤ、文書ＩＤ、処理種別（複写あるいはスキャン）を通知して複製処理の実施可否を問い合わせるための問合せデータを、複合機通信部４３０を介してポリシーサーバ９００の処理実施可否判定部９１２宛てに送信し、ポリシーサーバ９００の処理実施可否判定部９１２は、ポリシーサーバ通信部９３０を介して受信した処理実施可否の問合せデータから、ユーザＩＤ、文書ＩＤ、処理種別を読み取り、文書ＩＤ、処理種別にて機密文書管理情報９２１を参照し、複製処理の可否を判断するとともに、処理が許可されている場合は、印刷する文書の画像に重畳画像の合成印刷が処理条件として指定されているか否かを確認し、重畳画像の合成印刷が処理条件として指定されている場合は、ユーザ別文書処理権限管理情報９２２をユーザＩＤにて参照して取得した文書処理に対するユーザの機密レベルと、文書ＩＤとにより重畳画像描画領域決定テーブル９２３を参照し、重畳画像の描画パターン、描画面積を重畳画像描画情報４２２として取得し、処理実施可否判定結果に基づき処理可能な場合は、処理条件として、重畳画像描画情報４２２を埋め込んだ応答データを、ポリシーサーバ通信部９３０を介して、複合機４００の処理実施可否判定部４１１宛てに送信する（Ｓ３０６）。
【０１０１】
複合機４００において、処理実施可否判定部４１１は、複合機通信部４３０を介して受信した処理実施可否の応答データに記録されている処理の実施可否を判定し（Ｓ３０７  ）、複製処理が許可されていない場合（Ｓ３０７ＮＯ）、複合機主制御部４１０は、紙文書の複製処理を終了する（Ｓ３０８）。
【０１０２】
ステップＳ３０７の判定処理において、複製処理が許可された場合（Ｓ３０７ＹＥＳ）、処理実施可否判定部４１１は、応答データに重畳画像描画情報４２２が存在するか否かにもとづいて重畳画像の合成印刷が必要か否かを判断する（Ｓ３０９）。
【０１０３】
重畳画像の合成印刷が必要な場合（Ｓ３０９ＹＥＳ）、複合機主制御部４１０は、複製する紙文書の読み取り画像データからコード画像解析部４１２にてコード画像５１０を解析して読み取った既存の重畳画像が描画された領域を特定するための位置情報を読み取り、読み取った描画領域の位置情報に基づいて読み取り画像データから既存の重畳画像を削除する画像処理を画像処理部４６０にて行い（Ｓ３１０）、さらに、複合機主制御部４１０は、ポリシーサーバ９００から受信した応答データから読み取った重畳画像描画情報４２２に基づいて、合成する重畳画像をあらたに生成して既存の重畳画像を削除した読み取り画像データに合成する画像処理を画像処理部４６０にて行う（Ｓ３１１）。
【０１０４】
複合機主制御部４１０は、ステップＳ３１１の処理において重畳画像の付け替えが行われた出力画像、あるいは、ステップＳ３０９の判定処理にて既存の重畳画像の付け替え処理を行わなかった読み取り画像データ（Ｓ３０９ＮＯ）、あるいは、ステップＳ３０３の処理にてコード画像５１０が検出されなかった読み取り画像データのいずれかを複製処理画像として作成し、複写処理の場合は、印刷処理部４１３にて複製処理画像を複写画像として画像形成部４７０にて用紙に描画した複写文書の印刷処理を行い、スキャン処理の場合は、所定の出力先として、例えば、クライアント端末１００のクライアント端末記憶部１２０における所定の格納場所に、出力画像を複合機通信部４３０を介して転送して格納する複製処理にて読み取った画像の出力処理を行い（Ｓ３１２）、複合機主制御部４１０は、複合機通信部４３０を介して文書管理サーバ２００にアクセスして、出力画像を文書ＤＢ２１０に登録し、登録した複製処理画像の文書ＩＤを文書管理サーバ２００から受信した文書登録処理の応答データから読み取って取得する（Ｓ３１３）。
【０１０５】
複合機主制御部４１０は、複製処理を行った元の紙文書に描画された重畳画像が有するコード画像５１０から取得した元文書の文書ＩＤ、処理種別、ユーザＩＤ、処理日時を含んで複製処理にて派生した文書の追跡に必要な情報の収集を行ってログ情報を作成し、作成したログ情報をログ管理サーバ８００のログＤＢ８１０に登録するための登録データを作成し、作成した登録データを複合機通信部４３０を介してログ管理サーバ８００に送信する（Ｓ３１４）。
【０１０６】
なお、上記実施例では、コード画像埋め込み文書５００を印刷するための画像処理プログラムを実装し、機密文書に対する処理を行うユーザの機密レベルに応じて、機密文書２１２の画像に重畳する重畳画像の面積、描画パターンを決定して重畳画像を生成し、生成した重畳画像を印刷する機密文書２１２の画像に合成するための画像処理プログラムを、ＣＤＲＯＭ等の記憶媒体に格納して提供する、あるいは、画像処理プログラムを格納した記憶媒体の読み取り手段を設けた装置からデータ通信回線を介して取得するようにしてもよい。
【産業上の利用可能性】
【０１０７】
本発明の画像処理装置および画像処理プログラムは、機密文書を印刷する際に印刷後の複製を禁止を示す情報を機械可読可能な画像であるコード画像として文書の画像に合成して印刷する文書の印刷処理を行う装置、印刷処理を制御するプログラムに適用可能である。
【図面の簡単な説明】
【０１０８】
【図１】本発明の画像処理装置を配した文書処理システムの構成の一例を示す図。
【図２】コード画像埋め込み文書におけるコード画像の描画パターンを示す図。
【図３】所定情報に記録する情報を示す図。
【図４】図１に示したクライアント端末、複合機、ポリシーサーバの構成の一例を示すブロック図。
【図５】重畳画像描画領域決定テーブル、機密文書管理情報、ユーザ別文書処理権限管理情報の登録データの一例を示す図。
【図６】コード画像埋め込み文書に対する重畳画像の合成印刷処理の手順を示すフローチャート。
【図７】図１に示した文書処理システムにおける文書印刷処理の一例を示すシーケンス図。
【図８】図１に示した文書処理システムにおける文書複製処理の一例を示すシーケンス図。
【符号の説明】
【０１０９】
１０  文書処理システム
１００  クライアント端末
１１０  クライアント端末制御部
１１１  ユーザ認証処理部
１１２  文書処理部
１１３  印刷制御部
１１４  重畳画像生成部
１２０  クライアント端末記憶部
１２１  所定情報
１２２  重畳画像描画情報
１２３  ユーザＩＤ
１２４  文書データ
１２５  印刷データ
１３０  入力操作部
１４０  表示部
１５０  クライアント端末通信部
２００  文書管理サーバ
２１０  文書ＤＢ
２１１  文書
２１２  機密文書
３００  認証サーバ
３１０  ユーザ管理情報
４００  複合機
４１０  複合機主制御部
４１１  処理実施可否判定部
４１２  コード画像解析部
４１３  印刷処理部
４１４  ユーザ認証処理部
４２０  複合機記憶部
４２１  所定情報
４２２  重畳画像描画情報
４３０  複合機通信部
４４０  操作表示部
４５０  画像読み取り部
４６０  画像処理部
４７０  画像形成部
８００  ログ管理サーバ
８１０  ログＤＢ
９００  ポリシーサーバ
９１０  ポリシーサーバ制御部
９１１  ポリシー管理部
９１２  処理実施可否判定部
９１３  重畳画像描画管理部
９２０  ポリシーサーバ記憶部
９２１  機密文書管理情報
９２２  ユーザ別文書処理権限管理情報
９２３  重畳画像描画領域決定テーブル
９３０  ポリシーサーバ通信部
５００  コード画像埋め込み文書
５１０  コード画像
５１１  パターン画像
【図１】
2008187241.tif 000003
【図２】
2008187241.tif 000004
【図３】
2008187241.tif 000005
【図４】
2008187241.tif 000006
【図５】
2008187241.tif 000007
【図６】
2008187241.tif 000008
【図７】
2008187241.tif 000009
【図８】
2008187241.tif 000010